(57)【要約】【課題】端末から予約録画要求された放送局が受信できない場合でも、他の放送局において同一番組が放送されている場合には、予約録画する。【解決手段】本発明に係る放送受信装置は、端末２からの要求により予約録画を行う放送受信装置１であって、受信可能な放送の番組情報１９１を蓄積するＳＩ情報蓄積部１９と、端末２からの予約録画の要求を取得する要求取得部１３１と、番組情報１９１に含まれる番組から、要求取得部１３１が取得した要求に含まれる予約録画を行う番組のタイトルの情報と類似度の高いタイトルの情報を有する番組を検索する検索部１３４と、検索部１３４により検索された番組の予約録画を登録する予約録画登録部１３６とを備える。【選択図】図７
2008035402.tif 000002
【特許請求の範囲】
【請求項１】
端末からの要求により予約録画を行う放送受信装置であって、
受信可能な放送の番組情報を蓄積する番組情報蓄積手段と、
端末からの予約録画の要求を取得する要求取得手段と、
前記番組情報に含まれる番組から、前記要求取得手段が取得した要求に含まれる予約録画を行う番組のタイトルの情報と類似度の高いタイトルの情報を有する番組を検索する検索手段と、
前記検索手段により検索された番組の予約録画を登録する予約録画登録手段とを備える
ことを特徴とする放送受信装置。
【請求項２】
前記放送受信装置は、さらに、
前記要求取得手段が取得した要求が指定する放送が受信可能であるか否かを判断する受信判定手段を備え、
前記検索手段は、前記受信判定手段により、指定された放送が受信不可と判断された場合に、前記番組情報に含まれる番組から、前記要求取得手段が取得した要求に含まれる予約録画を行う番組のタイトルの情報と類似度の高いタイトルの情報を有する番組を検索する
ことを特徴とする請求項１記載の放送受信装置。
【請求項３】
前記検索手段は、前記番組情報に含まれる番組から、前記要求取得手段が取得した要求に含まれる予約録画を行う番組のタイトルと類似度の高いタイトルを有し、かつ、該番組の放送日時の情報と類似度の高い放送日時の情報を有する番組を検索する
ことを特徴とする請求項１記載の放送受信装置。
【請求項４】
前記放送受信装置は、さらに、
系列局に含まれる放送局の情報である放送局情報を保持する放送局情報蓄積手段を備え、
前記検索手段は、前記番組情報に含まれる番組から、前記放送局情報に基づき前記予約録画を行う番組と同じ系列局に含まれ、かつ、前記要求取得手段が取得した要求に含まれる予約録画を行う番組のタイトルの情報と類似度の高いタイトルの情報を有する番組を検索する
ことを特徴とする請求項１記載の放送受信装置。
【請求項５】
端末から放送受信装置への予約録画に関する処理を行うサーバであって、
前記放送受信装置が受信可能な放送の番組情報を蓄積する番組情報蓄積手段と、
前記端末からの予約録画の要求を取得する要求取得手段と、
前記要求取得手段が取得した要求が指定する放送を前記放送受信装置が受信可能であるか否かを判断する受信判定手段と、
前記受信判定手段により、指定された放送が前記放送受信装置に受信不可と判断された場合に、前記番組情報に含まれる番組から、前記要求取得手段が取得した要求に含まれる予約録画を行う番組のタイトルの情報と類似度の高いタイトルの情報を有する番組を検索する検索手段と、
前記要求取得手段が取得した予約録画の要求に含まれる予約録画を行う番組の情報を、前記検索手段が検索した番組の情報に更新する予約録画要求更新手段と、
前記予約録画更新手段が更新した予約録画の要求を、前記放送受信装置に送信する送信手段とを備える
ことを特徴とするサーバ。
【請求項６】
前記検索手段は、前記受信判定手段により、指定された放送が前記放送受信装置に受信不可と判断された場合に、前記番組情報に含まれる番組から、前記要求取得手段が取得した要求に含まれる予約録画を行う番組のタイトルと類似度の高いタイトルを有し、かつ、該番組の放送日時の情報と類似度の高い放送日時の情報を有する番組を検索する
ことを特徴とする請求項５記載のサーバ。
【請求項７】
前記サーバは、さらに、
系列局に含まれる放送局の情報である放送局情報を保持する放送局情報蓄積手段を備え、
前記検索手段は、前記受信判定手段により、指定された放送が前記放送受信装置に受信不可と判断された場合に、前記番組情報に含まれる番組から、前記放送局情報に基づき前記予約録画を行う番組と同じ系列局に含まれ、かつ、前記要求取得手段が取得した要求に含まれる予約録画を行う番組のタイトルの情報と類似度の高いタイトルの情報を有する番組を検索する
ことを特徴とする請求項５記載のサーバ。
【請求項８】
端末から放送受信装置への予約録画に関する処理を行うサーバであって、
系列局に含まれる放送局の情報である放送局情報を保持する放送局情報蓄積手段と、
前記端末からの予約録画の要求を取得する要求取得手段と、
前記要求取得手段が取得した要求が指定する放送を前記放送受信装置が受信可能であるか否かを判断する受信判定手段と、
前記受信判定手段により、指定された放送が前記放送受信装置に受信不可と判断された場合に、前記放送局情報に基づき、前記予約録画を行う番組と同じ系列局に含まれ、かつ、前記放送受信装置が受信可能な放送局を検索する検索手段と、
前記要求取得手段が取得した予約録画の要求に含まれる予約録画を行う番組の放送局の情報を、前記検索手段が検索した放送局の情報に更新する予約録画要求更新手段と、
前記予約録画更新手段が更新した予約録画の要求を、前記放送受信装置に送信する送信手段とを備える
ことを特徴とするサーバ。
【請求項９】
予約録画の要求を送信する端末と、
前記端末が送信した予約録画の要求を転送するサーバと、
前記サーバが転送した予約録画の要求に基づき、予約録画を行う放送受信装置とを含む通信システムであって、
前記放送受信装置は、
受信可能な放送の番組情報を蓄積する番組情報蓄積手段と、
前記サーバが転送した予約録画の要求を取得する要求取得手段と、
前記要求取得手段が取得した要求が指定する放送が受信可能であるか否かを判断する受信判定手段と、
前記受信判定手段により、指定された放送が受信不可と判断された場合に、前記番組情報に含まれる番組から、前記要求取得手段が取得した要求に含まれる予約録画を行う番組のタイトルの情報と類似度の高いタイトルの情報を有する番組を検索する検索手段と、
前記検索手段により検索された番組の予約録画を登録する予約録画登録手段とを備える
ことを特徴とする通信システム。
【請求項１０】
予約録画の要求を送信する端末と、
前記端末が送信した予約録画の要求を転送するサーバと、
前記サーバが転送した予約録画の要求に基づき、予約録画を行う放送受信装置とを含む通信システムであって、
前記サーバは、
前記放送受信装置が受信可能な放送の番組情報を蓄積する番組情報蓄積手段と、
前記端末からの予約録画の要求を取得する要求取得手段と、
前記要求取得手段が取得した要求が指定する放送を前記放送受信装置が受信可能であるか否かを判断する受信判定手段と、
前記受信判定手段により、指定された放送が前記放送受信装置に受信不可と判断された場合に、前記番組情報に含まれる番組から、前記要求取得手段が取得した要求に含まれる予約録画を行う番組のタイトルの情報と類似度の高いタイトルの情報を有する番組を検索する検索手段と、
前記要求取得手段が取得した予約録画の要求に含まれる予約録画を行う番組の情報を、前記検索手段が検索した番組の情報に更新する予約録画要求更新手段と、
前記予約録画更新手段が更新した予約録画の要求を、前記放送受信装置に転送する転送手段とを備える
ことを特徴とする通信システム。
【請求項１１】
前記検索手段は、前記受信判定手段により、指定された放送が前記放送受信装置に受信不可と判断された場合に、前記番組情報に含まれる番組から、前記要求取得手段が取得した要求に含まれる予約録画を行う番組のタイトルと類似度の高いタイトルを有し、かつ、該番組の放送日時の情報と類似度の高い放送日時の情報を有する番組を検索する
ことを特徴とする請求項９または１０記載の通信システム。
【請求項１２】
前記番組情報蓄積手段は、さらに、系列局に含まれる放送局の情報である放送局情報を保持し、
前記検索手段は、前記受信判定手段により、指定された放送が前記放送受信装置に受信不可と判断された場合に、前記番組情報に含まれる番組から、前記放送局情報に基づき前記予約録画を行う番組と同じ系列局に含まれ、かつ、前記要求取得手段が取得した要求に含まれる予約録画を行う番組のタイトルの情報と類似度の高いタイトルの情報を有する番組を検索する
ことを特徴とする請求項９または１０記載の通信システム。
【請求項１３】
予約録画の要求を送信する端末と、
前記端末が送信した予約録画の要求を転送するサーバと、
前記サーバが転送した予約録画の要求に基づき、予約録画を行う放送受信装置とを含む通信システムであって、
前記サーバは、
系列局に含まれる放送局の情報である放送局情報を保持する放送局情報蓄積手段と、
前記端末からの予約録画の要求を取得する第１要求取得手段と、
前記第１要求取得手段が取得した要求が指定する放送を前記放送受信装置が受信可能であるか否かを判断する受信判定手段と、
前記受信判定手段により、指定された放送が前記放送受信装置に受信不可と判断された場合に、前記放送局情報に基づき、前記予約録画を行う番組と同じ系列局に含まれ、かつ、前記放送受信装置が受信可能な放送局を抽出する抽出手段と、
前記第１要求取得手段が取得した予約録画の要求に含まれる予約録画を行う番組の放送局の情報を、前記抽出手段が抽出した放送局の情報に更新する予約録画要求更新手段と、
前記予約録画更新手段が更新した予約録画の要求を、前記放送受信装置に送信する送信手段とを備え、
前記放送受信装置は、
受信可能な放送の番組情報を蓄積する番組情報蓄積手段と、
前記サーバからの予約録画の要求を取得する第２要求取得手段と、
前記番組情報に含まれる番組から、前記第２要求取得手段が取得した要求に含まれる予約録画を行う番組の放送局の番組であり、かつ、前記第２要求取得手段が取得した要求に含まれる予約録画を行う番組のタイトルの情報と類似度の高いタイトルの情報を有する番組を検索する検索手段と、
前記検索手段により検索された番組の予約録画を登録する予約録画登録手段とを備える
ことを特徴とする通信システム。
【請求項１４】
端末からの要求により予約録画を行う放送受信装置の予約録画方法であって、
端末からの予約録画の要求を取得する要求取得ステップと、
蓄積している受信可能な放送の番組情報に含まれる番組から、要求取得ステップにおいて取得した要求に含まれる予約録画を行う番組のタイトルの情報と類似度の高いタイトルの情報を有する番組を検索する検索ステップと、
前記検索ステップにおいて検索された番組の予約録画を登録する予約録画登録ステップとを含む
ことを特徴とする予約録画方法。
【請求項１５】
端末から放送受信装置への予約録画に関する処理を行うサーバの予約録画方法であって、
前記端末からの予約録画の要求を取得する要求取得ステップと、
前記要求取得ステップにおいて取得した要求が指定する放送を前記放送受信装置が受信可能であるか否かを判断する受信判定ステップと、
前記受信判定ステップにおいて、指定された放送が前記放送受信装置に受信不可と判断された場合に、蓄積する前記放送受信装置が受信可能な放送の番組情報に含まれる番組から、前記要求取得ステップにおいて取得した要求に含まれる予約録画を行う番組のタイトルの情報と類似度の高いタイトルの情報を有する番組を検索する検索ステップと、
前記要求取得ステップにおいて取得した予約録画の要求に含まれる予約録画を行う番組の情報を、前記検索ステップにおいて検索した番組の情報に更新する予約録画要求更新ステップと、
前記予約録画更新ステップにおいて更新した予約録画の要求を、前記放送受信装置に送信する送信ステップとを含む
ことを特徴とする予約録画方法。
【発明の詳細な説明】
【技術分野】
【０００１】
本発明は、放送受信装置、サーバ、通信システムおよび予約録画方法に関し、特に、端末からの要求により予約録画を行う放送受信装置、端末から機器への予約録画に関する処理を行うサーバ、および端末と、サーバと、放送受信装置とを含む通信システムに関する。
【背景技術】
【０００２】
サーバが携帯電話等の端末に番組情報を提供し、携帯電話からの予約録画要求をあらかじめ登録している地上デジタル放送受信装置等の機器に転送することで、宅外からの予約録画を実現するサービスが特許文献１に開示されている技術を基に具現化されている。
【０００３】
このサービスは、（１)サービス利用者があらかじめ機器を登録し、機器を設置している地域を設定する。（２）サーバが登録地域の番組情報を提供する。（３)サービス利用者が録画したい番組をサーバから提供された番組情報から選択し、番組の日時、ＣＨ（放送局）およびタイトル情報を含む予約録画要求を、サーバを通じて、機器に行うことによって実現している。
【０００４】
以下、特許文献１に記載された技術を基に、サービスを実現する方法を、図１８および図１９を用いて説明する。
【０００５】
特許文献１記載の通信システムは、ルータ１００３を介してインターネット１００５に接続された少なくとも１つの機器１００１と、インターネット１００５に接続可能な少なくとも１つの端末１００２と、インターネット１００５に接続され機器１００１と端末１００２との間の通信を転送するサーバ１００４とを備える。
【０００６】
図１８は、特許文献１に記載の従来の通信システムの動作を示す図である。
【０００７】
まず、端末１００２は、ユーザからの番組情報取得要求に基づき、サーバ１００４に対して番組情報取得要求を送信する（Ｓ１００１)。端末１００２からの番組情報取得要求を受信したサーバ１００４は、あらかじめ端末１００２に紐付けされた機器１００１の登録地域（設置地域）を確認（Ｓ１００２）する。サーバ１００４は、登録地域で視聴可能な番組情報を端末１００２に返送する（Ｓ１００３）。
【０００８】
サーバ１００４から番組情報を受信した端末１００２は、不図示の表示部に受信した番組情報を表示する。ユーザは、表示した番組情報の中から機器１００１に対して予約録画を実施する番組を選択する（Ｓ１００４）。端末１００２は、ユーザの指示に応じて、サーバ１００４を介して機器１００１に予約録画要求を送信する（Ｓ１００５）。端末１００２からの予約録画要求を受け付けたサーバ１００４は、端末１００２に紐付けされた機器１００１へ予約録画要求を転送する（Ｓ１００６）。サーバ１００４を介して端末１００２からの予約録画要求を受け付けた機器１００１は、予約録画登録処理を実施する（Ｓ１００７）。
【０００９】
図１９は、機器１００１による予約録画登録処理（ステップＳ１００７）の流れを示すフローチャートである。機器１００１は、まず端末１００２から送信された予約録画要求データを解析する（Ｓ１１０１）。次に、機器１００１は、端末１００２からの予約録画要求データが不正であるかの判定を行う（Ｓ１１０２）。予約録画要求データが不正である場合（Ｓ１１０２でＹｅｓ）は、機器１００１は、処理を終了する。予約録画要求データが正しい場合（Ｓ１１０２でＮｏ）は、機器１００１は、指定された放送を受信可能であるかを確認する（Ｓ１１０３）。受信可能でない場合（Ｓ１１０３でＮｏ）は、機器１００１は、処理を終了する。受信可能である場合（Ｓ１１０３でＹｅｓ）は、機器１００１は、予約録画を指定された時間に実行可能であるかを確認する（Ｓ１１０４）。既に別の予約録画が登録されている等の理由のために、予約録画を実行できない場合（Ｓ１１０４でＮｏ）は、機器１００１は、処理を終了する。予約録画が実行可能である場合（Ｓ１１０４でＹｅｓ）は、機器１００１は、端末１００２からの予約録画要求の登録処理を行い（Ｓ１１０５）、処理を終了する。
【００１０】
予約録画登録処理（ステップＳ１００７）の終了後、機器１００１は、予約録画登録の成否を示す応答をサーバに返送する（Ｓ１００８）。機器１００１から応答を受信したサーバ１００４は、応答に対応する予約録画要求を送信した端末１００２に対し、応答を転送する（Ｓ１００９）。応答を受信した端末１００２は、応答の内容を解析し、その結果をユーザに示す（Ｓ１０１０）。これら一連の処理により、端末１００２からの予約録画要求が機器１００１に登録される。
【００１１】
一方、地上デジタル放送の低データレート放送（以下、１セグメント放送）を受信する携帯電話等の携帯端末が、市場に投入され始めている。こうした携帯端末の出現により、テレビ番組の視聴機会が増加することが想定される。さらには、携帯端末で視聴している番組を自宅にある地上デジタル放送受信装置で録画し、後で自宅の大画面でゆっくり見るといった使い方も今後増加していくことが予想される。このような場合には、簡単な操作で、携帯端末で視聴している番組を自宅にある地上デジタル放送受信装置で録画することが要求される。例えば、上述したようにサーバから送信される番組表から録画する番組を選択するのではなく、携帯端末で番組の視聴中に、「視聴中の番組を録画する」等のコマンドを選択することで、自宅にある地上デジタル放送受信装置に録画をすることが要求される。
【特許文献１】特許第３４４５９８６号公報
【発明の開示】
【発明が解決しようとする課題】
【００１２】
しかしながら、従来の通信システムは、例えば、地上デジタル放送受信装置を設置している地域と異なる地域で、１セグメント放送時受信機能を有する携帯電話でテレビ番組を視聴している場合、視聴している番組の番組情報を基に、地上デジタル放送受信装置に予約録画を実施しようとすると、指定された放送局を地上デジタル放送受信装置が設置している地域で受信できないため、他の放送局で同一番組が放送されているにも拘らず、予約録画できないことがあるという問題がある。
【００１３】
本発明は、上記問題に鑑みてなされたものであり、端末から予約録画要求された放送局が受信できない場合でも、他の放送局において同一番組が放送されている場合には、予約録画することができる放送受信装置、サーバ、通信システムおよび予約録画方法を提供することを目的とする。
【課題を解決するための手段】
【００１４】
上記目的を達成するために、本発明に係る放送受信装置は、端末からの要求により予約録画を行う放送受信装置であって、受信可能な放送の番組情報を蓄積する番組情報蓄積手段と、端末からの予約録画の要求を取得する要求取得手段と、前記番組情報に含まれる番組から、前記要求取得手段が取得した要求に含まれる予約録画を行う番組のタイトルの情報と類似度の高いタイトルの情報を有する番組を検索する検索手段と、前記検索手段により検索された番組の予約録画を登録する予約録画登録手段とを備える。
【００１５】
この構成によれば、放送受信装置が端末からの予約録画要求で指定された放送を受信できない場合でも、予約録画要求で指定された番組のタイトルの情報と、番組情報蓄積手段が蓄積している放送受信装置が受信可能な番組情報に含まれる番組のタイトルから同一の番組を検索することができる。よって、本発明に係る放送受信装置は、端末（例えば、携帯端末等）から予約録画要求された放送局が受信できない場合でも、他の放送局において同一番組が放送されている場合には、予約録画することができる。
【００１６】
また、前記放送受信装置は、さらに、前記要求取得手段が取得した要求が指定する放送が受信可能であるか否かを判断する受信判定手段を備え、前記検索手段は、前記受信判定手段により、指定された放送が受信不可と判断された場合に、前記番組情報に含まれる番組から、前記要求取得手段が取得した要求に含まれる予約録画を行う番組のタイトルの情報と類似度の高いタイトルの情報を有する番組を検索してもよい。
【００１７】
この構成によれば、本発明に係る放送受信装置は、端末からの要求で指定された放送を受信できるか否かを判断し、受信できない場合に、番組のタイトルにより、同一の番組を検索する。これにより、放送を受信できる場合には、検索処理を行わなくともよいので、処理量を低減することができる。
【００１８】
また、前記検索手段は、前記番組情報に含まれる番組から、前記要求取得手段が取得した要求に含まれる予約録画を行う番組のタイトルと類似度の高いタイトルを有し、かつ、該番組の放送日時の情報と類似度の高い放送日時の情報を有する番組を検索してもよい。
【００１９】
この構成によれば、本発明に係る放送受信装置は、番組の放送日時およびタイトルから、同一の番組を検索する。これにより、検索手段は、例えば、放送日時で番組の絞込みを行った後、タイトルの類似を検索することで、検索における処理量を低減するこができる。また、同一（類似）タイトルの番組が複数ある場合にも、検索手段は、指定された番組と同一の番組を正しく検索することができる。
【００２０】
また、前記放送受信装置は、さらに、系列局に含まれる放送局の情報である放送局情報を保持する放送局情報蓄積手段を備え、前記検索手段は、前記番組情報に含まれる番組から、前記放送局情報に基づき前記予約録画を行う番組と同じ系列局に含まれ、かつ、前記要求取得手段が取得した要求に含まれる予約録画を行う番組のタイトルの情報と類似度の高いタイトルの情報を有する番組を検索してもよい。
【００２１】
この構成によれば、本発明に係る放送装置は、指定された放送局の系列局の放送局の番組に対して、タイトルの類似を検索する。これにより、検索手段は、検索対象となる番組を絞り込むことができるので、検索における処理量を低減することができる。特に、全国ネット放送等では、検索手段は、より少ない検索処理で、予約録画要求に対応する番組を抽出することができる。
【００２２】
また、本発明に係るサーバは、端末から放送受信装置への予約録画に関する処理を行うサーバであって、前記放送受信装置が受信可能な放送の番組情報を蓄積する番組情報蓄積手段と、前記端末からの予約録画の要求を取得する要求取得手段と、前記要求取得手段が取得した要求が指定する放送を前記放送受信装置が受信可能であるか否かを判断する受信判定手段と、前記受信判定手段により、指定された放送が前記放送受信装置に受信不可と判断された場合に、前記番組情報に含まれる番組から、前記要求取得手段が取得した要求に含まれる予約録画を行う番組のタイトルの情報と類似度の高いタイトルの情報を有する番組を検索する検索手段と、前記要求取得手段が取得した予約録画の要求に含まれる予約録画を行う番組の情報を、前記検索手段が検索した番組の情報に更新する予約録画要求更新手段と、前記予約録画更新手段が更新した予約録画の要求を、前記放送受信装置に送信する送信手段とを備える。
【００２３】
この構成によれば、本発明に係るサーバは、放送受信装置が端末からの予約録画要求で指定された放送を受信できない場合には、予約録画要求で指定された番組のタイトルの情報と、番組情報蓄積手段が蓄積している放送受信装置が受信可能な番組情報に含まれる番組のタイトルから同一の番組を検索することができる。また、サーバは、予約録画要求を、検索した番組の情報に更新し、放送受信装置に送信する。放送受信装置は、更新された予約録画要求に基づき、予約録画を行うことができる。これにより、本発明に係るサーバにより、端末から予約録画要求された放送局を放送受信装置が受信できない場合でも、他の放送局において同一番組が放送されている場合には、予約録画することができる。
【００２４】
また、前記検索手段は、前記受信判定手段により、指定された放送が前記放送受信装置に受信不可と判断された場合に、前記番組情報に含まれる番組から、前記要求取得手段が取得した要求に含まれる予約録画を行う番組のタイトルと類似度の高いタイトルを有し、かつ、該番組の放送日時の情報と類似度の高い放送日時の情報を有する番組を検索してもよい。
【００２５】
この構成によれば、本発明に係るサーバは、番組の放送日時およびタイトルから、同一の番組を検索する。これにより、検索手段は、例えば、放送日時で番組の絞込みを行った後、タイトルの類似を検索することで、検索における処理量を低減するこができる。また、同一（類似）タイトルの番組が複数ある場合にも、検索手段は、指定された番組と同一の番組を正しく検索することができる。
【００２６】
また、前記サーバは、さらに、系列局に含まれる放送局の情報である放送局情報を保持する放送局情報蓄積手段を備え、前記検索手段は、前記受信判定手段により、指定された放送が前記放送受信装置に受信不可と判断された場合に、前記番組情報に含まれる番組から、前記放送局情報に基づき前記予約録画を行う番組と同じ系列局に含まれ、かつ、前記要求取得手段が取得した要求に含まれる予約録画を行う番組のタイトルの情報と類似度の高いタイトルの情報を有する番組を検索してもよい。
【００２７】
この構成によれば、本発明に係るサーバは、指定された放送局の系列局の放送局の番組に対して、タイトルの類似を検索する。これにより、検索手段は、検索対象となる番組を絞り込むことができるので、検索における処理量を低減することができる。特に、全国ネット放送等では、検索手段は、より少ない検索処理で、予約録画要求に対応する番組を抽出することができる。
【００２８】
また、本発明に係るサーバは、端末から放送受信装置への予約録画に関する処理を行うサーバであって、系列局に含まれる放送局の情報である放送局情報を保持する放送局情報蓄積手段と、前記端末からの予約録画の要求を取得する要求取得手段と、前記要求取得手段が取得した要求が指定する放送を前記放送受信装置が受信可能であるか否かを判断する受信判定手段と、前記受信判定手段により、指定された放送が前記放送受信装置に受信不可と判断された場合に、前記放送局情報に基づき、前記予約録画を行う番組と同じ系列局に含まれ、かつ、前記放送受信装置が受信可能な放送局を検索する検索手段と、前記要求取得手段が取得した予約録画の要求に含まれる予約録画を行う番組の放送局の情報を、前記検索手段が検索した放送局の情報に更新する予約録画要求更新手段と、前記予約録画更新手段が更新した予約録画の要求を、前記放送受信装置に送信する送信手段とを備えてもよい。
【００２９】
この構成によれば、本発明に係るサーバは、放送受信装置が指定された放送を受信できない場合には、指定された放送局の系列局の放送局であり、かつ、放送受信装置が受信可能な放送局の情報に、予約録画要求の放送局の情報を更新する。サーバは、更新した予約録画要求を放送受信装置に送信する。例えば、放送受信装置は、更新された放送局の番組に対して、タイトルが類似する番組を検索することで、端末から予約録画要求された放送局を放送受信装置が受信できない場合でも、他の放送局において同一番組が放送されている場合には、予約録画することができる。また、放送受信装置は、番組の検索において、放送局で絞り込みをした後に、タイトルの検索を行うことができるので、処理量を低減することができる。また、放送受信装置は、放送局の系列局の情報を保持する必要がないので、放送受信装置が保持するデータ量を削減することができる。
【００３０】
また、本発明に係る通信システムは、予約録画の要求を送信する端末と、前記端末が送信した予約録画の要求を転送するサーバと、前記サーバが転送した予約録画の要求に基づき、予約録画を行う放送受信装置とを含む通信システムであって、前記放送受信装置は、受信可能な放送の番組情報を蓄積する番組情報蓄積手段と、前記サーバが転送した予約録画の要求を取得する要求取得手段と、前記要求取得手段が取得した要求が指定する放送が受信可能であるか否かを判断する受信判定手段と、前記受信判定手段により、指定された放送が受信不可と判断された場合に、前記番組情報に含まれる番組から、前記要求取得手段が取得した要求に含まれる予約録画を行う番組のタイトルの情報と類似度の高いタイトルの情報を有する番組を検索する検索手段と、前記検索手段により検索された番組の予約録画を登録する予約録画登録手段とを備える。
【００３１】
この構成によれば、放送受信装置が端末からの予約録画要求で指定された放送を受信できない場合には、放送受信装置は、予約録画要求で指定された番組のタイトルの情報と、番組情報蓄積手段が蓄積している放送受信装置が受信可能な番組情報に含まれる番組のタイトルから同一の番組を検索することができる。よって、本発明に係る通信システムは、端末から予約録画要求された放送局を放送受信装置が受信できない場合でも、他の放送局において同一番組が放送されている場合には、予約録画することができる。
【００３２】
また、本発明の係る通信システムは、予約録画の要求を送信する端末と、前記端末が送信した予約録画の要求を転送するサーバと、前記サーバが転送した予約録画の要求に基づき、予約録画を行う放送受信装置とを含む通信システムであって、前記サーバは、前記放送受信装置が受信可能な放送の番組情報を蓄積する番組情報蓄積手段と、前記端末からの予約録画の要求を取得する要求取得手段と、前記要求取得手段が取得した要求が指定する放送を前記放送受信装置が受信可能であるか否かを判断する受信判定手段と、前記受信判定手段により、指定された放送が前記放送受信装置に受信不可と判断された場合に、前記番組情報に含まれる番組から、前記要求取得手段が取得した要求に含まれる予約録画を行う番組のタイトルの情報と類似度の高いタイトルの情報を有する番組を検索する検索手段と、前記要求取得手段が取得した予約録画の要求に含まれる予約録画を行う番組の情報を、前記検索手段が検索した番組の情報に更新する予約録画要求更新手段と、前記予約録画更新手段が更新した予約録画の要求を、前記放送受信装置に転送する転送手段とを備えてもよい。
【００３３】
この構成によれば、サーバは、放送受信装置が端末からの予約録画要求で指定された放送を受信できない場合には、予約録画要求で指定された番組のタイトルの情報と、番組情報蓄積手段が蓄積している放送受信装置が受信可能な番組情報に含まれる番組のタイトルから同一の番組を検索することができる。また、サーバは、予約録画要求を、検索した番組の情報に更新し、放送受信装置に送信する。放送受信装置は、更新された予約録画要求に基づき、予約録画を行うことができる。これにより、本発明に係る通信システムは、端末から予約録画要求された放送局を放送受信装置が受信できない場合でも、他の放送局において同一番組が放送されている場合には、予約録画することができる。
【００３４】
また、前記検索手段は、前記受信判定手段により、指定された放送が前記放送受信装置に受信不可と判断された場合に、前記番組情報に含まれる番組から、前記要求取得手段が取得した要求に含まれる予約録画を行う番組のタイトルと類似度の高いタイトルを有し、かつ、該番組の放送日時の情報と類似度の高い放送日時の情報を有する番組を検索してもよい。
【００３５】
この構成によれば、本発明に係る通信システムは、番組の放送日時およびタイトルから、同一の番組を検索する。これにより、検索手段は、例えば、放送日時で番組の絞込みを行った後、タイトルの類似を検索することで、検索における処理量を低減するこができる。また、同一（類似）タイトルの番組が複数ある場合にも、検索手段は、指定された番組と同一の番組を正しく検索することができる。
【００３６】
また、前記番組情報蓄積手段は、さらに、系列局に含まれる放送局の情報である放送局情報を保持し、前記検索手段は、前記受信判定手段により、指定された放送が前記放送受信装置に受信不可と判断された場合に、前記番組情報に含まれる番組から、前記放送局情報に基づき前記予約録画を行う番組と同じ系列局に含まれ、かつ、前記要求取得手段が取得した要求に含まれる予約録画を行う番組のタイトルの情報と類似度の高いタイトルの情報を有する番組を検索してもよい。
【００３７】
この構成によれば、本発明に係る通信システムは、指定された放送局の系列局の放送局の番組に対して、タイトルの類似を検索する。これにより、検索手段は、検索対象となる番組を絞り込むことができるので、検索における処理量を低減することができる。特に、全国ネット放送等では、検索手段は、より少ない検索処理で、予約録画要求に対応する番組を抽出することができる。
【００３８】
また、本発明に係る通信システムは、予約録画の要求を送信する端末と、前記端末が送信した予約録画の要求を転送するサーバと、前記サーバが転送した予約録画の要求に基づき、予約録画を行う放送受信装置とを含む通信システムであって、前記サーバは、系列局に含まれる放送局の情報である放送局情報を保持する放送局情報蓄積手段と、前記端末からの予約録画の要求を取得する第１要求取得手段と、前記第１要求取得手段が取得した要求が指定する放送を前記放送受信装置が受信可能であるか否かを判断する受信判定手段と、前記受信判定手段により、指定された放送が前記放送受信装置に受信不可と判断された場合に、前記放送局情報に基づき、前記予約録画を行う番組と同じ系列局に含まれ、かつ、前記放送受信装置が受信可能な放送局を抽出する抽出手段と、前記第１要求取得手段が取得した予約録画の要求に含まれる予約録画を行う番組の放送局の情報を、前記抽出手段が抽出した放送局の情報に更新する予約録画要求更新手段と、前記予約録画更新手段が更新した予約録画の要求を、前記放送受信装置に送信する送信手段とを備え、前記放送受信装置は、受信可能な放送の番組情報を蓄積する番組情報蓄積手段と、前記サーバからの予約録画の要求を取得する第２要求取得手段と、前記番組情報に含まれる番組から、前記第２要求取得手段が取得した要求に含まれる予約録画を行う番組の放送局の番組であり、かつ、前記第２要求取得手段が取得した要求に含まれる予約録画を行う番組のタイトルの情報と類似度の高いタイトルの情報を有する番組を検索する検索手段と、前記検索手段により検索された番組の予約録画を登録する予約録画登録手段とを備えてもよい。
【００３９】
この構成によれば、本発明に係る通信システムは、放送受信装置が指定された放送を受信できない場合には、サーバが、指定された放送局の系列局の放送局であり、かつ、放送受信装置が受信可能な放送局の情報に、予約録画要求の放送局の情報を更新する。サーバは、更新した予約録画要求を放送受信装置に送信する。放送受信装置は、更新された放送局の番組に対して、タイトルが類似する番組を検索することで、端末から予約録画要求された放送局を放送受信装置が受信できない場合でも、他の放送局において同一番組が放送されている場合には、予約録画することができる。また、放送受信装置は、番組の検索において、放送局で絞り込みをした後に、タイトルの検索を行うことができるので、処理量を低減することができる。また、放送受信装置は、放送局の系列局の情報を保持する必要がないので、放送受信装置が保持するデータ量を削減することができる。
【００４０】
また、本発明に係る予約録画方法は、端末からの要求により予約録画を行う放送受信装置の予約録画方法であって、端末からの予約録画の要求を取得する要求取得ステップと、蓄積している受信可能な放送の番組情報に含まれる番組から、要求取得ステップにおいて取得した要求に含まれる予約録画を行う番組のタイトルの情報と類似度の高いタイトルの情報を有する番組を検索する検索ステップと、前記検索ステップにおいて検索された番組の予約録画を登録する予約録画登録ステップとを含む。
【００４１】
これによれば、放送受信装置が端末からの予約録画要求で指定された放送を受信できない場合でも、予約録画要求で指定された番組のタイトルの情報と、蓄積している放送受信装置が受信可能な番組情報に含まれる番組のタイトルから同一の番組を検索することができる。よって、本発明に係る予約録画方法は、放送受信装置が端末（例えば、携帯端末等）から予約録画要求された放送局が受信できない場合でも、他の放送局において同一番組が放送されている場合には、予約録画することができる。
【００４２】
また、本発明に係る予約録画方法は、端末から放送受信装置への予約録画に関する処理を行うサーバの予約録画方法であって、前記端末からの予約録画の要求を取得する要求取得ステップと、前記要求取得ステップにおいて取得した要求が指定する放送を前記放送受信装置が受信可能であるか否かを判断する受信判定ステップと、前記受信判定ステップにおいて、指定された放送が前記放送受信装置に受信不可と判断された場合に、蓄積する前記放送受信装置が受信可能な放送の番組情報に含まれる番組から、前記要求取得ステップにおいて取得した要求に含まれる予約録画を行う番組のタイトルの情報と類似度の高いタイトルの情報を有する番組を検索する検索ステップと、前記要求取得ステップにおいて取得した予約録画の要求に含まれる予約録画を行う番組の情報を、前記検索ステップにおいて検索した番組の情報に更新する予約録画要求更新ステップと、前記予約録画更新ステップにおいて更新した予約録画の要求を、前記放送受信装置に送信する送信ステップとを含む。
【００４３】
これによれば、サーバは、放送受信装置が端末からの予約録画要求で指定された放送を受信できない場合には、予約録画要求で指定された番組のタイトルの情報と、蓄積している放送受信装置が受信可能な番組情報に含まれる番組のタイトルから同一の番組を検索することができる。また、サーバは、予約録画要求を、検索した番組の情報に更新し、放送受信装置に送信する。放送受信装置は、更新された予約録画要求に基づき、予約録画を行うことができる。これにより、本発明に係る予約録画方法は、端末から予約録画要求された放送局を放送受信装置が受信できない場合でも、他の放送局において同一番組が放送されている場合には、予約録画することができる。
【発明の効果】
【００４４】
本発明は、端末から予約録画要求された放送局が受信できない場合でも、他の放送局において同一番組が放送されている場合には、予約録画することができる放送受信装置、サーバ、通信システムおよび予約録画方法を提供することができる。
【発明を実施するための最良の形態】
【００４５】
以下、本発明に係る通信システムの実施の形態について、図面を参照しながら詳細に説明する。
【００４６】
（実施の形態１）
本発明の実施の形態１に係る通信システムにおける放送受信装置は、受信可能な番組のタイトルを含む情報を保持し、端末から予約録画要求された放送局が受信できない場合に、同一のタイトルの番組を検索することで、予約録画を行うことができる。
【００４７】
まず、本発明の実施の形態１に係る通信システムの構成を説明する。
【００４８】
図１は、本発明の実施の形態１に係る通信システムの概略構成を示す図である。図１に示す通信システム１００は、機器１と、端末２と、ルータ３と、サーバ４とを備える。
【００４９】
機器１は、デジタル放送受信装置であり、地上デジタル放送を受信する。機器１は、端末２等の外部機器からの要求により予約録画を行う。例えば、機器１は、デジタルビデオレコーダ（ＤＶＲ）である。
【００５０】
端末２は、ユーザの操作により、機器１に予約録画を行うことのできる端末である。端末２は、ユーザの操作に基づき、機器１に予約録画の要求を送信する。例えば、端末２は、１セグメント放送を受信する機能を有する携帯電話等の携帯端末である。なお、端末２は、パーソナルコンピュータ等であってもよい。
【００５１】
ルータ３は、ローカルネットワーク（ＬＡＮ）６により、機器１と接続される。また、ルータ３は、インターネット（または、広域ネットワーク（ＷＡＮ））５と接続される。
【００５２】
サーバ４は、端末２から機器１への予約録画に関する処理を行う。サーバ４は、端末２からの予約録画要求に応じて、機器１に予約録画の要求を転送する。機器１は、サーバが転送した予約録画の要求に基づき、予約録画を行う。サーバ４は、インターネット６を介して、端末２およびルータ３と接続される。
【００５３】
図２は、図１に示す機器１の構成を示すブロック図である。なお、図２は、機器１として、地上デジタル放送を受信し、設定された特定番組の予約録画記録を行うことができるデジタルビデオレコーダ（ＤＶＲ）に本発明を適用した場合の、機器１の構成を示す図である。
【００５４】
図２に示す機器１は、アンテナ１０と、受信部１１と、信号処理部１２と、制御部１３と、操作入力部１４と、音声出力部１５と、映像出力部１６と、記録部１７と、ネットワークＩ／Ｆ１８と、ＳＩ情報蓄積部１９とを備える。
【００５５】
アンテナ１０は、受信部１１に接続される。
【００５６】
受信部１１は、地上デジタル放送を受信する。受信部１１は、制御部１３からの制御指令によって受信チャンネルの選択が行なう。受信部１１は、受信した信号を信号処理部１２に出力する。
【００５７】
信号処理部１２は、受信部１１が受信した信号を映像信号および音声信号に復元する。
【００５８】
制御部１３は、機器１の全体の制御を行う。また、制御部１３は、端末２から送信された予約録画の要求に基づき、予約録画処理を行う。制御部１３は、ＣＰＵと、ＲＡＭと、ＲＯＭとを備える。
【００５９】
操作入力部１４は、ユーザにより、選局および記録動作等の指示が入力される。また、操作入力部１４は、ユーザにより、予約録画等の動作の指示および確認の指示が入力される。操作入力部１４に入力されたユーザからの指示は、制御部１３に送られる。
【００６０】
音声出力部１５は、信号処理部１２が復元した音声信号を出力する。
【００６１】
映像出力部１６は、信号処理部１２が復元した映像信号を出力する。
【００６２】
記録部１７は、指定された番組に対応する信号処理部１２から出力された番組データを情報記録媒体に記録する。
【００６３】
ネットワークＩ／Ｆ１８は、ＬＡＮ６に接続された外部機器、または、ルータ３を介して接続されたインターネット５上の機器（例えば、端末２またはサーバ４）からの要求を受信し、制御部１３に通知する。制御部１３は、ネットワークＩ／Ｆ１８を介して、要求を送信した機器に対して、応答を返送する。なお、ネットワークＩ／Ｆ１８は、制御部１３からの要求に基づき、外部機器に対して要求を送信し、外部機器からの応答を制御部１３に通知してもよい。
【００６４】
また、信号処理部１２は、受信部１１が受信した信号から、所要の番組を選択するために必要な情報である伝送制御信号ＰＳＩ（Program Specific Information）と、番組選択の利便性のために規定された各種情報である番組配列情報ＳＩ(Service Information)とを復元する。制御部１３は、信号処理部１２により復元された伝送制御信号ＰＳＩおよび番組配列情報ＳＩから機器１が受信可能な放送の番組の情報である番組情報１９１を生成する。
【００６５】
ＳＩ情報蓄積部１９は、制御部１３が生成した番組情報１９１を保持する。
【００６６】
図３は、ＳＩ情報蓄積部１９が保持する番組情報１９１の構成の一例を示す図である。図３に示すように、番組情報１９１は、機器１が受信可能な放送局２０１毎に放送される複数の番組の情報を含む。各番組の情報は、番組識別子（イベントＩＤ）２０４と、番組の開始時間２０２と、番組の終了時間２０３と、番組のタイトル（番組名）２０５とを含む。
【００６７】
放送局２０１は、番組が放送される放送局またはサービスを特定する情報である。放送局２０１は、例えば、受信しているデジタル放送から抽出されたnetwork_idまたはservice_idが使用される。例えば、放送局２０１は、放送局またはサービスごとに固有に付された２バイトのコードである。
【００６８】
番組識別子２０４は、番組を識別する識別子であり、受信しているデジタル放送から抽出されたevent_idである。例えば、番組識別子２０４は、各放送局が放送する番組に対して、固有に付された２バイトのコードである。
【００６９】
図４は、制御部１３の詳細な構成を示すブロック図である。図４に示すように、制御部１３は、要求取得部１３１と、要求解析部１３２と、受信判定部１３３と、検索部１３４と、更新部１３５と、予約録画登録部１３６とを備える。
【００７０】
要求取得部１３１は、ネットワークＩ／Ｆ１８を介して、端末２からの予約録画の要求を取得する。
【００７１】
要求解析部１３２は、要求取得部１３１が取得した予約録画の要求を解析し、予約録画の要求が不正であるか否かを判定する。
【００７２】
受信判定部１３３は、要求取得部１３１が取得した要求が指定する放送を機器１が受信可能であるか否かを判断する。
【００７３】
検索部１３４は、受信判定部１３３により、指定された放送が受信不可と判断された場合に、機器１が受信可能な番組であり、かつ指定された番組と同一の番組を検索する。具体的には、検索部１３４は、受信判定部１３３により、指定された放送が受信不可と判断された場合に、ＳＩ情報蓄積部１９に蓄積される番組情報１９１に含まれる番組から、要求取得部１３１が取得した要求に含まれる予約録画を行う番組のタイトルの情報と類似度の高いタイトルの情報を有し、かつ、該番組の放送日時の情報と類似度の高い放送日時の情報を有する番組を検索する。
【００７４】
更新部１３５は、要求取得部１３１が取得した予約録画の要求に含まれる予約録画を行う番組の情報を、検索部１３４の検索した番組の情報に更新する。
【００７５】
予約録画登録部１３６は、更新部１３５により更新された予約録画の要求に基づき、予約録画を行う。すなわち、予約録画登録部１３６は、検索部１３４により検索された番組の予約録画を登録する。
【００７６】
次に、本発明の実施の形態１に係る通信システム１００の動作を説明する。
【００７７】
図５は、本発明の実施の形態１に係る通信システム１００の処理シーケンスを示す図である。図５は、ユーザが端末２において、デジタル放送を視聴している際に、視聴している番組を自宅にある機器１で予約録画しようとした場合の通信システム１００の処理シーケンスを示す図である。
【００７８】
図５に示すように、まず、端末２において、ユーザがデジタル放送を視聴している際に（Ｓ１０１）、ユーザは、不図示の要求手段により視聴している番組の予約録画要求を実行する。例えば、ユーザは、「視聴中の番組を録画する」等のコマンドを選択することで、視聴している番組の予約録画要求を実行する。ユーザによる予約録画要求がなされると端末２は、サーバ４を介して機器１に予約録画要求を送信する（Ｓ１０２）。
【００７９】
図６は、端末２が送信する予約要求の構成の一例を示す図である。
【００８０】
図６に示すように予約録画要求は、予約録画開始日２１１と、予約録画開始時間２１２と、予約録画終了時間２１３と、放送識別子２１４と、番組識別子２１５と、タイトル（番組）名２１６とを含む。
【００８１】
予約録画開始日２１１は、予約が開始される日を示す。例えば、端末２で視聴中の番組の予約録画を行う場合は、予約録画開始日２１１は、現在の日付等である。予約録画開始時間２１２は、予約録画を開始する時間を示し、例えば、端末２で視聴中の番組の開始時間（または、現在の時刻）である。予約録画終了時間２１３は、予約録画を終了する時間を示し、例えば、端末２で視聴中の番組の終了時間である。
【００８２】
放送識別子２１４は、放送局またはサービスを識別する識別子であり、受信しているデジタル放送から抽出されたnetwork_idまたはservice_idが使用される。例えば、放送識別子２１４は、放送局またはサービスごとに固有に付された２バイトのコードである。
【００８３】
番組識別子２１５は、番組を識別する識別子であり、受信しているデジタル放送から抽出されたevent_idが用いられる。例えば、番組識別子２１５は、各放送局が放送する番組に対して、固有に付された２バイトのコードである。
【００８４】
タイトル名２１６は、予約録画を行う番組のタイトルであり、例えば、端末２で視聴中の番組のタイトルである。
【００８５】
端末２からの予約録画要求を受け付けたサーバ４は、端末２に紐付けされた機器１へ予約録画要求を転送する（Ｓ１０３）。サーバ４を介して端末２からの予約録画要求を受信した機器１は、以下の予約録画登録処理を実施する（Ｓ１０４）。
【００８６】
図７は、ステップＳ１０４における機器１の予約録画登録処理の流れを示すフローチャートである。
【００８７】
図７に示すように、機器１の要求取得部１３１は、端末２からの予約録画の要求を取得し、要求解析部１３２は、予約録画要求データを解析する（Ｓ２０１）。次に、要求解析部１３２は、端末２からの予約録画要求データが不正であるかの判定を行う（Ｓ２０２）。不正である場合（Ｓ２０２でＹｅｓ）は、制御部１３は、処理を終了する。予約録画要求データが正しい場合（Ｓ２０２でＮｏ）は、受信判定部１３３は、予約録画要求により指定された放送が受信可能であるかを判定する（Ｓ２０３）。
【００８８】
指定された放送を受信できない場合（Ｓ２０３でＮｏ）、検索部１３４は、ＳＩ情報蓄積部１９が保持している番組情報１９１から予約録画要求で指定されている予約録画開始時間、予約録画終了時間に含まれる番組情報を抽出する（Ｓ２０４）。
【００８９】
図８は、端末２が送信する予約録画要求の一例を示す図である。図８（ａ）は、要求取得部１３１が取得した予約録画要求の一例を示す図である。図８（ｂ）は、制御部１３により更新された後の予約録画要求を示す図である。例えば、図８（ａ）に示す予約録画要求で示された予約録画開始時間（ts-1）が１６時、予約録画終了時間(te-1)が１７時である場合、検出部１３４は、図３に示す番組情報１９１から、放送時間に１６時〜１７時を含む番組である番組識別子がev-a1、ev-b1、ev-n1の番組情報を抽出する。
【００９０】
検索部１３１は、さらに予約録画要求に含まれるタイトル（番組）名２１６と、番組情報１９１より抽出した番組のタイトル２０５との一致検索を行う（Ｓ２０５）。すなわち、図８（ａ）に示す予約録画要求で示されたタイトル名(tittle-1)と、抽出した番組のタイトルであるtittle-a1、tittle-b1、tittle-n1との一致検索を行う。予約録画要求により指定されたタイトル（tittle-1）と一致するタイトルがない場合（Ｓ２０６でＮｏ）は、制御部１３は、予約録画登録処理を終了する。一致するタイトルがある場合（Ｓ２０６でＹｅｓ）は、更新部１３５は、端末２から受信した予約録画要求の更新処理を実施する（Ｓ２０７）。例えば、予約録画により指定されたタイトル（tittle-1）と放送Ｂにおけるtittle-b1とが一致すると判断された場合、図８（ａ）に示された予約録画要求情報を、図８（ｂ）に示すように放送Ｂにおけるタイトル２０５がtittle-b1の番組の情報を元に更新する。これらの処理により、端末２から予約録画要求された放送局が、機器１で受信できない場合でも、機器１で受信可能な他の放送局において同一番組が放送されている場合には、予約録画することが可能となる。
【００９１】
予約録画で指定された放送が受信可能である場合（Ｓ２０３でＹｅｓ）、または上述の予約録画要求更新処理（ステップＳ２０７）を実施した後、予約録画登録部１３６は、予約録画要求、または更新された予約録画要求で指定された時間に予約録画を実行可能であるかを確認する（Ｓ２０８）。既に別の予約録画が登録されている等の理由のために、予約録画を実行できない場合（Ｓ２０８でＮｏ）は、制御部１３は、処理を終了する。予約録画登録部１３６が予約録画を実行可能であると判断した場合（Ｓ２０８でＹｅｓ）は、予約録画登録部１３６は、端末２からの予約録画要求、または更新された予約録画要求の登録処理を行う（Ｓ２０９）。以上により、機器１は、予約録画登録処理を終了する。
【００９２】
予約録画登録処理（ステップＳ１０４）を終えた機器１は、予約録画登録の成否を示す応答をサーバに返送する（Ｓ１０５）。機器１から応答を受信したサーバ４は、応答に対応する予約録画要求を送信した端末２に対し、応答を転送する（Ｓ１０６）。応答を受信した端末２は、応答の内容を解析し、その結果をユーザに示す（Ｓ１０７）。これら一連の処理により、端末２からの予約録画要求が機器１に登録される。
【００９３】
以上より、本発明の実施の形態１に係る通信システムの機器１は、端末２から送信された予約録画要求で指定された放送を受信できない場合には、機器１が保持している番組情報に対して、予約録画要求に含まれる予約録画を行う番組のタイトル名で検索を行うことで、端末２から指定された番組に対応する番組を検索する。これにより、本発明の実施の形態１に係る通信システムは、ユーザが端末２で視聴中の番組の放送局が、自宅に設置されている機器１で受信ができない場合であり、かつ予約録画要求とは異なる放送局において同一番組が放送されている場合に、予約録画することが可能となる。
【００９４】
また、本発明に実施の形態１に係る通信システムの機器１は、端末２から送信された予約録画要求で指定された放送を受信できない場合には、機器１が保持している番組情報に対して、予約録画要求に含まれる予約録画を行う番組の日時の情報が一致または類似する番組を抽出し、抽出した番組に対してタイトル名で検索を行う。これにより、機器１における番組検索の処理量を低減することができる。また、番組情報に同一のタイトルの複数の番組が含まれる場合にも、正しい番組を抽出することができる。
【００９５】
なお、上記ステップＳ２０５において、検索部１３４は、予約録画要求に含まれるタイトル（番組）名情報による検索を行ったが、予約録画要求に含まれるタイトル（番組）名情報に加え、系列局毎にグループ化した情報から検索を行ってもよい。この場合、機器１は、系列局に含まれる放送局の情報である放送局情報を保持する。例えば、ＳＩ情報蓄積部１９、または、図示していな放送局情報蓄積部が、放送局情報を保持する。
【００９６】
図９は、放送局情報の一例を示す図である。図９に示す放送局情報は、複数の系列局のグループ１〜Ｇに分類された放送局の情報を含む。例えば、グループ１には放送１．１〜放送１．ｚのｚ個の放送局が含まれる。例えば、放送局の情報は、受信しているデジタル放送から抽出されたnetwork_idまたはservice_idが使用され、放送局またはサービスごとに固有に付された２バイトのコードである。
【００９７】
検索部１３４は、ＳＩ情報蓄積部１９に蓄積される番組情報１９１に含まれる番組から、放送局情報に基づき予約録画を行う番組と同じ系列局に含まれ、かつ、要求取得部１３１が取得した要求に含まれる予約録画を行う番組のタイトルの情報と一致するタイトルの情報を有する番組を検索する。すなわち、機器１は、端末２から予約録画要求を受信し、録画要求で指定された放送局が受信できない場合、指定された放送局と同じグループにあり、かつ機器１が受信可能な放送局の番組情報をＳＩ情報蓄積部１９から抽出する。検索部１３４は、予約録画要求に含まれるタイトル（番組）名情報と指定された放送局と同じグループにある放送局の番組情報の中にあるタイトル情報との一致検索を行う。これにより、一致検索対象の絞込みを行うことが可能なる。また、全国放送等では、より少ない一致検索処理で、端末２からの予約録画要求に対応して、機器１が受信可能な同一番組を抽出することが可能となる。
【００９８】
また、上記ステップＳ２０５において、タイトルの一致検索は、タイトルが一致するか否かで検索しているが、タイトルの類似度を判定し、類似度の高いタイトルの番組を抽出してもよい。例えば、端末２と、機器１とで、番組情報を提供するサービス提供者が異なる場合には、端末２が送信する予約録画要求情報と、機器１が保持している番組情報とのタイトルの記述が異なる場合がある。ステップＳ２０５において、タイトルの類似度を判定することで、端末２が送信する予約録画要求情報と、機器１が保持している番組情報とのタイトルの記述が完全に一致しない場合でも、所望の番組を検索することができる。さらに、タイトルの類似度の判定により、複数の候補となるタイトルが抽出された場合には、抽出した複数のタイトルに対して、番組の開始日、開始時間および終了時間の少なくとも１以上を検索条件として、さらに、絞込みをおこなってもよい。
【００９９】
また、上記ステップＳ２０４における放送時間による番組の絞り込みにおいて、端末２から送信された予約録画要求で指定された番組の放送時間（予約録画開始時間２１２〜予約録画終了時間２１３）が、放送時間（番組情報１９１の開始時間２０２〜終了時間２０３）に含まれる番組を抽出するとしたが、これに限定されるものではない。例えば、予約録画要求で指定された番組の放送時間の一部が、放送時間に含まれる番組を抽出してもよいし、予約録画要求で指定された番組の放送時間の前後の所定の時間内に放送される番組を抽出してもよい。さらに、番組情報１９１が、番組の開始日の情報を含み、予約録画要求の録画開始日２１１と、一致または類似する番組の開始日の情報を有する番組を抽出してもよい。
【０１００】
また、上記ステップＳ２０４〜Ｓ２０５において、日時による絞込みの後に、タイトル名による検索を行っているが、日時による絞込みを行わず、タイトル名による検索のみを行ってもよい。さらに、タイトル名による検索により、複数の候補が抽出された場合に、日時による検索を行ってもよい。
【０１０１】
（実施の形態２）
上述した実施の形態１では、機器１が、予約録画要求の更新を行う通信システムについて説明した。本発明の実施の形態２では、サーバが予約録画要求の更新を行う通信システムについて説明する。
【０１０２】
なお、実施の形態２に係る通信システムの概略構成は、実施の形態１（図１）と同様であるので説明を省略する。また、機器１の概略構成は、図２と同様である。また、実施の形態２では、機器１の制御部１３は、図４に示す要求解析部１３２、受信判定部１３３、検索部１３４および更新部１３５を備えなくともよい。
【０１０３】
図１０は、実施の形態２に係る通信システムの概略構成を示すブロック図である。図１０に示すサーバ４は、制御部４３と、ネットワークＩ／Ｆ４８と、ＳＩ情報蓄積部４９とを備える。
【０１０４】
ネットワークＩ／Ｆ４８は、インターネット５に接続された外部機器（例えば、機器１または端末２）からの要求等を受信し、制御部４３に通知する。また、ネットワークＩ／Ｆ４８は、制御部４３の制御により、インターネット５に接続された外部機器に要求等のデータを送信する。
【０１０５】
ＳＩ情報蓄積部４９は、機器１が受信可能な番組の情報を含む番組情報４９１を保持する。例えば、番組情報４９１は、実施の形態１と同様に図３に示す構成である。なお、ＳＩ情報蓄積部４９が保持する番組情報４９１は、サーバ４が提供するサービスの範囲に応じて、他の地域の番組情報を含む。例えば、サーバ４が提供するサービスが日本国内の全ての地域であれば、ＳＩ情報蓄積部４９は、日本全国で放送されている番組情報を保持する。
【０１０６】
制御部４３は、サーバ４の全体の制御を行う。また、制御部４３は、端末２より送信された予約録画の要求を更新する。制御部４３は、要求取得部４３１と、要求解析部４３２と、受信判定部４３３と、検索部４３４と、更新部４３５と、要求送信部４３６とを備える。
【０１０７】
要求取得部４３１は、ネットワークＩ／Ｆ４８を介して、端末２からの予約録画の要求を取得する。
【０１０８】
要求解析部４３２は、要求取得部４３２が取得した予約録画の要求を解析し、予約録画の要求が不正であるか否かを判定する。
【０１０９】
受信判定部４３３は、要求取得部４３２が取得した要求が指定する放送を機器１が受信可能であるか否かを判断する。
【０１１０】
検索部４３４は、受信判定部４３３により、指定された放送が受信不可と判断された場合に、機器１が受信可能な番組であり、かつ指定された番組と同一の番組を検索する。具体的には、検索部４３４は、受信判定部４３３により、指定された放送が受信不可と判断された場合に、ＳＩ情報蓄積部４９に蓄積される番組情報４９１に含まれる機器１が受信可能な番組から、要求取得部４３２が取得した要求に含まれる予約録画を行う番組のタイトルの情報と一致するタイトルの情報を有し、かつ、該番組の放送日時の情報と類似度の高い放送日時の情報を有する番組を検索する。
【０１１１】
更新部４３５は、要求取得部４３１が取得した予約録画の要求に含まれる予約録画を行う番組の情報を、検索部４３４の検索した番組の情報に更新する。
【０１１２】
要求送信部４３６は、ネットワークＩ／Ｆ４８を介して、更新部４３５が更新した予約録画の要求を、機器１に送信する。
【０１１３】
以下、本発明の実施の形態２に係る通信システムの動作を説明する。
【０１１４】
図１１は、本発明の実施の形態２に係る通信システムの処理シーケンスを示す図である。図１１は、ユーザが端末２において、デジタル放送を視聴している際に、視聴している番組を自宅にある機器１で予約録画しようとした場合の通信システムの処理シーケンスを示す図である。
【０１１５】
図１１に示すように、まず、端末２において、ユーザがデジタル放送を視聴している際に（Ｓ３０１）、ユーザは、不図示の要求手段により視聴している番組の予約録画要求を実行する。例えば、ユーザは、「視聴中の番組を録画する」等のコマンドを選択することで、視聴している番組の予約録画要求を実行する。ユーザによる予約録画要求がなされると端末２は、サーバ４に予約録画要求を送信する（Ｓ３０２）。端末２が送信する予約録画要求は、実施の形態１と同様であり、例えば、図６に示す構成である。
【０１１６】
端末２からの予約録画要求を受け付けたサーバ４は、端末２に紐付けされた機器１の登録情報を基に、予約録画要求更新処理を実施する（Ｓ３０３）。
【０１１７】
図１２は、ステップＳ３０３におけるサーバ４の予約録画更新処理の流れを示すフローチャートである。
【０１１８】
サーバ４の要求取得部４３１は、端末２からの予約録画の要求を取得し、要求解析部４３２は、予約録画要求データを解析する（Ｓ４０１）。次に、要求解析部４３２は、端末２からの予約録画要求データが不正であるかの判定を行う（Ｓ４０２）。不正である場合（Ｓ４０２でＹｅｓ）は、サーバ４は、処理を終了する。予約録画要求データが正しい場合（Ｓ４０２でＮｏ）は、受信判定部４３３は、予約録画要求により指定された放送を端末２に紐付けされた機器１が受信可能であるかを判定する（Ｓ４０３）。サーバ４は、あらかじめ登録されている機器１の設置地域情報、または、機器１が受信可能な放送局情報に基づき、指定された放送を機器１が受信可能であるか否かを判定する。
【０１１９】
機器１が指定された放送を受信できない場合（Ｓ４０３でＮｏ）、検索部４３４は、番組情報蓄積部１９１から、端末２に紐付けされた機器１が受信可能な放送局の番組であり、かつ予約録画要求で指定されている予約録画開始時間および予約録画終了時間に含まれる番組の情報を抽出する（Ｓ４０４）。例えば、実施の形態１と同様、図８（ａ）に示す録画要求で示された予約録画開始時間（ts-1）が１６時、予約録画終了時間(te-1)が１７時である場合、検索部４３４は、図３に示す番組情報１９１から、放送時間に１６時〜１７時を含む番組である番組識別子がev-a1、ev-b1、ev-n1の番組が抽出する。
【０１２０】
検索部４３３は、さらに予約録画要求に含まれるタイトル（番組）名２１６と、抽出した番組のタイトル２０５との一致検索を行う（Ｓ４０５）。すなわち、図８に示す予約録画要求で示されたタイトル名(tittle-1)と、抽出した番組情報のタイトルであるtittle-a1、tittle-b1、tittle-n1との一致検索を行う。予約録画要求により指定されたタイトル（tittle-1）と一致するタイトルがない場合（Ｓ４０６でＮｏ）は、サーバ４は、予約録画要求更新処理を終了する。一致するタイトルがある場合（Ｓ４０６でＹｅｓ）は、更新部４３５は、端末２から受信した予約録画要求の更新処理を実施する（Ｓ４０７）。例えば、予約録画により指定されたタイトル（tittle-1）と放送Ｂにおけるtittle-b1とが一致すると判断された場合、更新部４３５は、図８（ａ）に示された予約録画要求情報を、図８（ｂ）に示すように放送Ｂにおけるタイトルがtittle-b1の番組情報を元に更新する。これらの処理により、端末２から予約録画要求された放送局が機器１で受信できない場合でも、機器１で受信可能な他の放送局において同一番組が放送されている場合には、その番組を抽出することが可能となる。
【０１２１】
機器１が予約録画で指定された放送を受信可能である場合、もしくは上述の予約録画要求更新処理を実施した後、要求送信部４３６は、上述のように予約録画要求もしくは、更新された予約録画要求を機器１へ転送する。また、図示していないが、要求データが不正（Ｓ４０２でＹｅｓ）または一致するタイトルがない（Ｓ４０６でＮｏ）場合、要求送信部４３６は、予約録画要求を機器１へ転送せずに、エラーが発生した（予約録画ができない）ことを示す情報を端末２に送信する。
【０１２２】
予約録画要求更新処理（ステップＳ３０３）を終えたサーバ４は、端末２に紐付けされた機器１へ予約録画要求を転送する（Ｓ３０４）。サーバ４を介して端末２からの予約録画要求を受け付けた機器１は、予約録画登録処理を実施する（Ｓ３０５）。ここで、機器１が受信する予約録画要求は、サーバ４により、機器１が受信可能な放送の情報に更新されているので、機器１は、予約録画登録処理を正常に行うことができる。
【０１２３】
機器１は、予約録画登録処理終了後、予約録画登録の成否を示す応答をサーバ４に返送する（Ｓ３０６）。機器１から応答を受信したサーバ４は、応答に対応する予約録画要求を送信した端末２に対し、応答を転送する（Ｓ３０７）。応答を受信した端末２は、応答の内容を解析し、その結果をユーザに示す（Ｓ３０８）。これら一連の処理により、端末２からの予約録画要求が機器１に登録される。
【０１２４】
以上より、本発明の実施の形態２に係る通信システムのサーバ４は、機器１が、端末２から送信された予約録画要求で指定された放送を受信できない場合には、サーバ４が保持している番組情報に対して、予約録画要求に含まれる予約録画を行う番組のタイトル名で検索を行うことで、端末２から指定された番組に対応する番組であり、かつ機器１が受信可能な番組を抽出する。サーバ４は、抽出した番組に基づき、予約録画要求を更新して、機器１に送信する。これにより、本発明の実施の形態２に係る通信システムは、ユーザが端末２で視聴中の番組の放送局が、自宅に設置されている機器１で受信ができない場合であり、かつ予約録画要求とは異なる放送局において同一番組が放送されている場合に、予約録画することが可能となる。
【０１２５】
また、本発明に実施の形態２に係る通信システムのサーバ４は、機器１が、端末２から送信された予約録画要求で指定された放送を受信できない場合には、サーバ４が保持している番組情報に対して、予約録画要求に含まれる予約録画を行う番組の日時の情報が一致または類似する番組を抽出し、抽出した番組に対してタイトル名で検索を行う。これにより、サーバ４における番組検索の処理量を低減することができる。また、番組情報に同一のタイトルの複数の番組が含まれる場合にも、正しい番組を抽出することができる。
【０１２６】
また、本発明に実施の形態２に係る通信システムでは、ユーザが端末２で視聴中の番組の放送を機器１が受信できない場合には、サーバ４が、予約録画要求の更新を行う。これにより、機器1に対して、機能の追加および処理量の増加等を行うことなく、端末２から予約録画要求された放送局が受信できない場合でも、他の放送局において同一番組が放送されている場合には、予約録画することができる。
【０１２７】
なお、上記ステップＳ４０５において、検索部４３４は、予約録画要求に含まれるタイトル（番組）名情報による検索を行ったが、予約録画要求に含まれるタイトル（番組）名情報に加え、系列局毎にグループ化した情報から検索を行ってもよい。この場合、サーバ４は、系列局に含まれる放送局の情報である放送局情報を保持する。例えば、ＳＩ情報蓄積部４９、または、図示していな放送局情報蓄積部が、放送局情報を保持する。サーバ４は、例えば、図９に示す放送局情報を保持する。検索部４３４は、ＳＩ情報蓄積部４９に蓄積される番組情報４９１に含まれる番組から、放送局情報に基づき予約録画を行う番組と同じ系列局に含まれ、かつ、要求取得部４３１が取得した要求に含まれる予約録画を行う番組のタイトルの情報と一致するタイトルの情報を有する番組を検索する。すなわち、サーバ４は、系列局毎にグループ化した情報を保持し、端末２から予約録画要求を受信し、端末２で紐付けされた機器１が、録画要求で指定された放送局を受信できない場合、指定された放送局と同じグループにあり、機器１が受信可能な放送局の番組情報を番組情報蓄積部から抽出しても良い。予約録画要求に含まれるタイトル（番組）名情報と指定された放送局と同じグループにある放送局の番組情報の中にあるタイトル情報との一致検索を行う。これにより、一致検索対象の絞込みを行うことが可能なる。また、全国放送等では、より少ない一致検索処理で、端末２からの予約録画要求に対応して、機器１が受信可能な同一番組を抽出することが可能となる。
【０１２８】
（実施の形態３）
本発明の実施の形態３に係る通信システムは、予約録画要求の更新処理の一部をサーバで行う。
【０１２９】
なお、実施の形態３の通信システムの概略構成は、実施の形態１と同様であるので説明を省略する。また、機器１の概略構成は、図２と同様である。
【０１３０】
図１３は、実施の形態３に係る通信システムにおけるサーバ４の概略構成を示すブロック図である。図１３に示すサーバ４は、制御部４３と、ネットワークＩ／Ｆ４８と、放送局情報蓄積部５０とを備える。
【０１３１】
ネットワークＩ／Ｆ４８は、インターネット５に接続された外部機器（例えば、機器１または端末２）からの要求等を受信し、制御部４３に通知する。また、ネットワークＩ／Ｆ４８は、制御部４３の制御により、インターネット５に接続された外部機器に要求等のデータを送信する。
【０１３２】
放送局情報蓄積部５０は、系列局に含まれる放送局の情報である放送局情報を保持する。例えば、放送局情報蓄積部５０が保持する放送局情報の構成は、図９に示す構成である。
【０１３３】
制御部４３は、サーバ４の全体の制御を行う。また、制御部４３は、端末２より送信された予約録画の要求を更新する。制御部４３は、要求取得部４３１と、要求解析部４３２と、受信判定部４３３と、検索部４３４と、更新部４３５と、要求送信部４３６とを備える。
【０１３４】
要求取得部４３１は、ネットワークＩ／Ｆ４８を介して、端末２からの予約録画の要求を取得する。
【０１３５】
要求解析部４３２は、要求取得部４３１が取得した予約録画の要求を解析し、予約録画の要求が不正であるか否かを判定する。
【０１３６】
受信判定部４３３は、要求取得部４３１が取得した要求が指定する放送を機器１が受信可能であるか否かを判断する。
【０１３７】
検索部４３４は、指定された放送が機器１に受信不可と判断された場合に、放送局情報に基づき、予約録画を行う番組と同じ系列局に含まれ、かつ、機器１が受信可能な放送局を検索する。
【０１３８】
更新部４３５は、要求取得部４３１が取得した予約録画の要求に含まれる予約録画を行う番組の放送局の情報を、検索部４３４が検索した放送局の情報に更新する。
【０１３９】
要求送信部４３６は、ネットワークＩ／Ｆ４８を介して、更新部４３５が更新した予約録画の要求を、機器１に送信する。
【０１４０】
図１４は、実施の形態３に係る通信システムにおける機器１の制御部１３の構成を示すブロック図である。図１４に示す制御部１３は、要求取得部１３１と、検索部１３４と、更新部１３５と、予約録画登録部１３６とを備える。
【０１４１】
要求取得部１３１は、ネットワークＩ／Ｆ１８を介して、端末２からの予約録画の要求を取得する。
【０１４２】
検索部１３４は、指定された番組と同一の番組を検索する。具体的には、番組情報蓄積部１９に蓄積される番組情報１９１に含まれる番組から、要求取得部１３１が取得した要求に含まれる予約録画を行う番組の放送局の番組であり、かつ、要求取得部１３１が取得した要求に含まれる予約録画を行う番組のタイトルの情報と一致するタイトルの情報を有する番組を検索する。
【０１４３】
更新部１３５は、要求取得部１３１が取得した予約録画の要求に含まれる予約録画を行う番組の情報を、検索部１３４の検索した番組の情報に更新する。
【０１４４】
予約録画登録部１３６は、更新部１３５により更新された予約録画の要求に基づき、予約録画を行う。すなわち、予約録画登録部１３６は、検索部１３４により検索された番組の予約録画を登録する。
【０１４５】
以下、本発明の実施の形態３に係る通信システムの動作を説明する。
【０１４６】
図１５は、本発明の実施の形態３に係る通信システムの処理シーケンスを示す図である。図１５は、ユーザが端末２において、デジタル放送を視聴している際に、視聴している番組を自宅にある機器１で予約録画しようとした場合の通信システムの処理シーケンスを示す図である。
【０１４７】
図１５に示すように、まず、端末２において、ユーザがデジタル放送を視聴している際に（Ｓ５０１）、ユーザは、不図示の要求手段により視聴している番組の予約録画要求を実行する。例えば、ユーザは、「視聴中の番組を録画する」等のコマンドを選択することで、視聴している番組の予約録画要求を実行する。ユーザによる予約録画要求がなされると端末２は、サーバ４に予約録画要求を送信する（Ｓ５０２）。実施の形態３において、端末２が送信する予約録画要求は、予約録画開始日２０１と、予約録画開始時間２０２と、予約録画終了時間２０３と、放送局識別子２０４と、タイトル（番組）名２０６とを含む。すなわち、実施の形態１および実施の形態２と比べ、予約録画要求が番組識別子２０５を含まない点が異なる。なお、予約録画要求に含まれる番組識別子２０５をブランクデータとしてもよい。
【０１４８】
端末２からの予約録画要求を受け付けたサーバ４は、端末２に紐付けされた機器１の登録情報を基に、予約録画要求更新処理を実施する（Ｓ５０３）。
【０１４９】
図１６は、ステップＳ５０３におけるサーバ４の予約録画要求更新処理の流れを示すフローチャートである。
【０１５０】
図１６に示すように、サーバ４の要求取得部４３１は、端末２からの予約録画の要求を取得し、要求解析部４３２は、端末２からの予約録画要求データを解析する（Ｓ６０１）。次に、要求解析部４３２は、端末２からの予約録画要求データが不正であるかの判定を行う（Ｓ６０２）。不正である場合（Ｓ６０２でＹｅｓ）は、制御部４３は、処理を終了する。予約録画要求データが正しい場合（Ｓ６０２でＮｏ）は、受信判定部４３３は、予約録画要求により、指定された放送を端末２に紐付けされた機器１が受信可能であるかを判定する（Ｓ６０３）。受信判定部４３３は、あらかじめ登録されている機器１の設置地域情報、または、機器１が受信可能な放送局情報に基づき、指定された放送を機器１が受信可能であるか否かを判定する。
【０１５１】
機器１が指定された放送を受信できない場合（Ｓ６０３でＮｏ）、更新部４３５は、予約録画要求に含まれる放送識別子２０４を更新する（Ｓ６０４）。具体的には、検索部４３４は、放送局情報保持部５０が保持している放送局情報５０１と、機器１の設置地域情報とから、端末２より送信された放送識別子に対応する放送局と同系列局の放送局であり、かつ機器１が受信可能である放送局を検索する。更新部４３５は、端末２より送信された放送識別子を、検索部４３４が検索した放送局の放送識別子に更新する。
【０１５２】
機器１が予約録画で指定された放送を受信可能である場合、もしくは上述の予約録画要求更新処理を実施した後、要求送信部４３６は、上述のように予約録画要求もしくは、更新された予約録画要求を機器１へ転送する。また、図示していないが、要求データが不正である場合（Ｓ６０２でＹｅｓ）、要求送信部４３６は、予約録画要求を機器１へ転送せずに、エラーが発生した（予約録画ができない）ことを示す情報を端末２に送信する。
【０１５３】
予約録画要求更新処理を終えたサーバ４は、端末２に紐付けされた機器１へ予約録画要求を転送する（Ｓ５０４）。サーバ４を介して端末２からの予約録画要求を受け付けた機器１は、予約録画登録処理を実施する（Ｓ５０５）。
【０１５４】
図１７は、ステップＳ５０５における機器１の予約録画登録処理の流れを示すフローチャートである。
【０１５５】
図１７に示すように、機器１の要求取得部１３１は、サーバ４が転送した予約録画の要求を取得し、要求解析部１３２は、取得した予約録画の要求を解析する（Ｓ７０１）。次に、検索部１３４は、ＳＩ情報蓄積部１９が保持している番組情報１９１からサーバ４で更新された予約録画要求で指定されている放送局識別子の番組情報を抽出する（Ｓ７０２）。例えば、予約録画要求の放送局識別子２１４がsid-bの場合、検索部１３４は、図３に示す番組情報１９１に対して、放送識別子（サービスID）がsid-bである放送Bの番組である番組識別子がev-b1、ev-b2、ev-b3およびev-b4等の番組を抽出する。
【０１５６】
検索部１３４は、さらに予約録画要求に含まれるタイトル（番組）名２１６と、抽出した番組のタイトル２０５との一致検索を行う（Ｓ７０３）。例えば、図８（ａ）に示す予約録画要求が、サーバ４より送信された場合には、tittle-1と、tittle-b1、tittle-b2、tittle-b3およびtittle-b4等の放送Bの番組のタイトル２０５との一致検索を行う。予約録画要求により指定されたタイトル名２１６と一致するタイトルの番組がない場合（Ｓ７０４でＮｏ）は、制御部１３は、予約録画登録処理を終了する。一致するタイトルがある場合（Ｓ７０４でＹｅｓ）は、更新部１３５は、受信した予約録画要求の更新処理を実施する（Ｓ７０５）。例えば、予約録画により指定されたタイトル（tittle-1）と放送Ｂにおけるtittle-b1とが一致すると判断された場合、更新部１３５は、図８（ａ）に示された予約録画要求情報を、図８（ｂ）に示すように放送Ｂにおけるtittle-b1の番組情報を元に更新する。また、本発明の実施の形態３においては、端末２が送信する予約録画要求には、番組識別子２１５が含まれない、または、番組識別子２１５がブランクデータであり、機器１による予約録画要求更新処理（ステップステップＳ７０５）において、検索結果に基づき番組識別子２１５が追加または更新される。これらの処理により、端末２から予約録画要求された放送局が、機器１で受信できない場合でも、機器１で受信可能な他の放送局において同一番組が放送されている場合には、予約録画することが可能となる。
【０１５７】
予約録画要求更新処理（ステップＳ７０５）を実施した後、予約録画登録部１３６は、更新された予約録画要求で指定された時間に予約録画を実行可能であるかを確認する（Ｓ７０６）。既に別の予約録画が登録されている等の理由のために、予約録画を実行できない場合（Ｓ７０６でＮｏ）は、制御部１３は、処理を終了する。予約録画登録部１３６は、予約録画を実行可能であると判断した場合（Ｓ７０６でＹｅｓ）は、更新された予約録画要求の登録処理を行う（Ｓ７０７）。以上により、機器１は、予約録画登録処理（ステップＳ５０５）を終了する。
【０１５８】
機器１は、予約録画登録処理（ステップＳ５０５）終了後、予約録画登録の成否を示す応答をサーバ４に返送する（Ｓ５０６）。機器１から応答を受信したサーバ４は、応答に対応する予約録画要求を送信した端末２に対し、応答を転送する（Ｓ５０７）。応答を受信した端末２は、応答の内容を解析し、その結果をユーザに示す（Ｓ５０８）。これら一連の処理により、端末２からの予約録画要求が機器１に登録される。
【０１５９】
なお、上記ステップＳ７０２において、機器１の制御部１３は、サーバ４により更新された放送局識別子から、番組を抽出するとしたが、放送局識別子に加え、予約録画要求に含まれる番組の日時の情報（予約録画開始日、予約録画開始時間および予約録画終了時間）から番組を抽出してもよい。
【０１６０】
以上より、本発明の実施の形態３に係る通信システムのサーバ４は、機器１が端末２から送信された予約録画要求で指定された放送を受信できない場合には、サーバ４が保持している放送局の系列局の情報から、端末２が指定した番組の放送局識別子を、端末２から指定された番組の放送局と同系列の放送局であり、かつ機器１が受信可能な放送局の放送局識別子に更新する。機器１は、サーバ４により更新された放送識別子により番組を抽出し、抽出した番組に対して、端末２から送信された予約録画要求に含まれるタイトルの情報と一致または類似するタイトルの番組を選択する。機器１は、選択した番組の予約録画を行うことで、ユーザが端末２で視聴中の番組の放送局が、自宅に設置されている機器１で受信ができない場合であり、かつ予約録画要求とは異なる放送局において同一番組が放送されている場合に、予約録画することが可能となる。さらに、機器１における検索処理は、端末２から指定された番組の放送局と同系列の放送局の番組に対して行われるので、機器１の処理量を低減することができる。
【０１６１】
また、本発明の実施の形態３に係る通信システムにおいては、予約録画要求で指定される番組が、機器１で受信可能か否かによらず、タイトルの検索が行われ、指定された番組（または指定された番組に対応する番組）の番組識別子を特定される。よって、端末２は、予約録画要求として、番組識別子２０５を送信しなくともよい。これにより、端末２は、番組識別子２０５の情報を保持または取得する必要がないので、端末２の処理量を低減することができる。
【０１６２】
なお、機器１において、タイトルによる検索を行わなくとも、端末２から送信された予約録画開始時間および予約録画終了時間と、サーバ４で更新された放送識別子とから、予約録画を行うことができる。これは、全国放送等においては、同じ系列局の放送局間で対応する番組が同じ時刻に放送されることが多いからである。しかしながら、機器１においてタイトルによる検索を行わない場合には、同じ系列局の放送局間で対応する番組の放送時間が異なる場合には、対応できない。また、スポーツ中継番組の延長等で、番組の放送時間の変更があった場合には、番組識別子を特定していないと、変更後の時間の番組を録画することはできない。一方、上述したように、タイトルによる検索を行い、番組識別子を特定しておくことで、同じ系列局の放送局間で対応する番組の放送時間が異なる場合、および、番組の放送時間の変更があった場合でも、正しく録画を行うことができる。
【産業上の利用可能性】
【０１６３】
本発明は、放送受信装置、サーバおよび通信システムに適用でき、特に、地上デジタル放送受信装置と、１セグメント放送受信機能および通信機能を有する携帯電話等の端末とを含み、端末から地上デジタル放送受信装置に予約録画を実行する通信システムに適用できる。
【図面の簡単な説明】
【０１６４】
【図１】本発明の実施の形態１に係る通信システムの構成を示す図である。
【図２】本発明の実施の形態１に係る機器の構成を示すブロック図である。
【図３】番組情報の構成の一例を示す図である。
【図４】本発明の実施の形態１に係る機器が有する制御部の構成を示すブロック図である。
【図５】本発明の実施の形態１に係る通信システムにおける予約録画シーケンスを示す図である。
【図６】予約録画要求の構成の一例を示す図である。
【図７】本発明の実施の形態１に係る機器における予約録画登録処理の流れを示すフローチャートである。
【図８】予約録画要求の構成の一例を示す図である。
【図９】放送局グループの構成の一例を示す図である。
【図１０】本発明の実施の形態２に係るサーバの構成を示すブロック図である。
【図１１】本発明の実施の形態２に係る通信システムにおける予約録画シーケンスを示す図である。
【図１２】本発明の実施の形態２に係るサーバにおける予約録画要求更新処理の流れを示すフローチャートである。
【図１３】本発明の実施の形態３に係るサーバの構成を示すブロック図である。
【図１４】本発明の実施の形態３に係る機器が有する制御部の構成を示すブロック図である。
【図１５】本発明の実施の形態３に係る通信システムにおける予約録画シーケンスを示す図である。
【図１６】本発明の実施の形態３に係るサーバにおける予約録画要求更新処理の流れを示すフローチャートである。
【図１７】本発明の実施の形態３に係る機器における予約録画登録処理の流れを示すフローチャートである。
【図１８】従来の通信システムにおける予約録画シーケンスを示す図である。
【図１９】従来の機器における予約録画処理の流れを示すフローチャートである。
【符号の説明】
【０１６５】
１、５０１    機器
２、５０２    端末
３、５０３    ルータ
４、５０４    サーバ
５、５０５    インターネット
６、５０６    ＬＡＮ
１０    アンテナ
１１    受信部
１２    信号処理部
１３    制御部
１４    操作入力部
１５    音声出力部
１６    映像出力部
１７    記録部
１８、４８    ネットワークＩ／Ｆ
１９、４９    ＳＩ情報蓄積部
５０    放送局情報蓄積部
１００    通信システム
１３１、４３１    要求取得部
１３２、４３２    要求解析部
１３３、４３３    受信判定部
１３４、４３４    検索部
１３５、４３５    更新部
１３６    予約録画登録部
１９１、４９１    番組情報
４３６    要求送信部
５０１    放送局情報
【図１】
2008035402.tif 000003
【図２】
2008035402.tif 000004
【図３】
2008035402.tif 000005
【図４】
2008035402.tif 000006
【図５】
2008035402.tif 000007
【図６】
2008035402.tif 000008
【図７】
2008035402.tif 000009
【図８】
2008035402.tif 000010
【図９】
2008035402.tif 000011
【図１０】
2008035402.tif 000012
【図１１】
2008035402.tif 000013
【図１２】
2008035402.tif 000014
【図１３】
2008035402.tif 000015
【図１４】
2008035402.tif 000016
【図１５】
2008035402.tif 000017
【図１６】
2008035402.tif 000018
【図１７】
2008035402.tif 000019
【図１８】
2008035402.tif 000020
【図１９】
2008035402.tif 000021